(57)【要約】【課題】表示エリアの両側を黒表示するサイドブラック表示の機能を備えた表示装置において、サイドブラック表示エリアのエッジの直線性を良好にして、表示品位を向上する。【解決手段】表示エリアの両側に２つのサイドブラック表示エリアが形成され、それらの間に映像表示エリアが形成される。図１の矢印で示した行（例えば奇数行）については、サイドブラック表示エリアと映像表示エリアの境界において、ＲＧ画素が消灯（黒表示）しており、Ｂ画素が点灯している。一方、隣接する行（例えば、偶数行）については、ＢＲの画素が消灯（黒表示）しており、Ｇ画素が点灯している。すなわち、サイドブラック表示エリアのエッジの凹部に映像表示エリアのＧ画素ではなく、Ｂ画素が配置され、点灯することになる。【選択図】図１
2007188006.tif 000002
【特許請求の範囲】
【請求項１】
青色で点灯するＢ画素、赤色で点灯するＲ画素、緑色で点灯するＧ画素をこの順序で行方向に繰り返し配列して画素群を形成し、偶数行の画素群と奇数行の画素群とを互いにずらして配列してなる表示エリアと、
前記表示エリアの両側に黒表示を行う２つのサイドブラック表示エリアを形成し、それらの間に通常の映像表示を行う映像表示エリアを形成するとともに、サイドブラック表示エリアのエッジの凹部に、映像表示エリアのＧ画素以外の画素が配置されるように前記サイドブラック表示エリアを設定する制御回路を備えることを特徴とする表示装置。
【請求項２】
前記制御回路は、前記サイドブラック表示エリアを設定するサイドブラック設定信号を発生するサイドブラック設定信号発生回路と、
前記サイドブラック設定信号に応じて青色、赤色、緑色に対応した各映像信号を黒レベルに設定するサイドブラック制御回路と、
前記サイドブラック制御回路を通された前記各映像信号を順番にサンプリングし、かつ記憶するサンプルホールド回路と、を備え、
前記サンプルホールド回路に記憶された映像信号が前記表示エリアに転送されることを特徴とする請求項１に記載の表示装置。
【請求項３】
前記サイドブラック設定信号発生回路は、基準クロックをカウントし、そのカウント結果に基づいて複数のサイドブラック設定信号を発生するカウンタと、表示モード切り換え信号に応じて前記複数のサイドブラック設定信号から１つのサイドブラック設定信号を選択するセレクタとを備えることを特徴とする請求項２に記載の表示装置。
【請求項４】
青色で点灯するＢ画素、赤色で点灯するＲ画素、緑色で点灯するＧ画素をこの順序で行方向に繰り返し配列して画素群を形成し、偶数行の画素群と奇数行の画素群とを互いにずらして配列してなる表示エリアと、
前記表示エリアを左右の双方向にスキャンし、Ｂ画素、Ｒ画素、Ｇ画素に映像信号を書き込むタイミングを決定する水平スキャン信号を発生する双方向シフトレジスタと、
前記表示エリアの両側に黒表示を行う２つのサイドブラック表示エリアを形成し、それらの間に通常の映像表示を行う映像表示エリアを形成するとともに、前記双方向シフトレジスタの双方向スキャン時に、前記サイドブラック表示エリアのエッジの凹部に、映像表示エリアのＧ画素以外の画素が配置されるように前記サイドブラック表示エリアを設定する制御回路を備えることを特徴とする表示装置。
【請求項５】
前記制御回路は、前記双方シフトレジスタにより、表示エリアを左方向にスキャンする時にサイドブラック表示エリアを設定する第１のサイドブラック設定信号と、前記表示エリアを右方向スキャンする時にサイドブラック表示エリアを設定する第２のサイドブラック設定信号とを発生するサイドブラック設定信号発生回路と、
前記第１又は第２のサイドブラック設定信号に応じて青色、赤色、緑色に対応した各映像信号を黒レベルに設定するサイドブラック制御回路と、
前記サイドブラック制御回路を通された前記各映像信号を順番にサンプリングし、かつ記憶するサンプルホールド回路と、を備え、
前記サンプルホールド回路に記憶された映像信号が前記表示エリアに転送されることを特徴とする請求項４に記載の表示装置。
【請求項６】
前記サイドブラック設定信号発生回路は、基準クロックをカウントし、そのカウント結果に基づいて第1及び第２のサイドブラック設定信号を発生するカウンタと、表示モード切り換え信号に応じて前記第1のサイドブラック信号又は前記第２のサイドブラック設定信号を選択するセレクタとを備えることを特徴とする請求項５に記載の表示装置。
【請求項７】
前記基準クロックは水平同期信号を逓倍した信号であることを特徴とする請求項３又は請求項６に記載の表示装置。
【発明の詳細な説明】
【技術分野】
【０００１】
本発明は、ＬＣＤ等の表示装置に関し、特に、表示エリアの両側を黒表示するサイドブラック表示の機能を備えた表示装置に関する。
【背景技術】
【０００２】
近年、アクティブマトリクス型の液晶表示装置は、テレビジョンや、ビデオカメラの電子ビューファインダ等に広く用いられている。このような液晶表示装置において、ハイビジョン方式に対応するため、液晶パネルの表示エリアのアスペクト比（液晶パネルの横と縦の長さの比）が１６：９に設定されたワイドパネルが採用されている。このようなワイドパネルにおいて、表示エリアの両側を黒表示（サイドブラック表示）することにより、標準テレビジョン方式に対応したアスペクト比が４：３の表示エリアをも実現することができる。
【０００３】
また、一般にフルカラー表示のアクティブマトリクス型の液晶表示装置において、青色で点灯するＢ画素、赤色で点灯するＲ画素、緑色で点灯するＧ画素というように、３原色の画素が用いられる。Ｂ画素、Ｒ画素、Ｇ画素はこの順で行方向に繰り返し配列されて画素群が形成される。そして、Ｂ画素、Ｒ画素、Ｇ画素には、それぞれ画素選択用のＴＦＴが設けられ、それぞれの色に対応したカラーフィルターが設けられている。そして、画素配列の方式としては、動画や曲線の表示に優れたデルタ配列が用いられている。デルタ配列とは、偶数行の画素群と奇数行の画素群とを互いに所定ピッチ（例えば、１．５画素ピッチ）だけ行方向にずらした配列である。
【０００４】
上述のサイドブラック表示の技術については、特許文献１に記載されている。
【特許文献１】特開２０００−３２１５５３号公報
【発明の開示】
【発明が解決しようとする課題】
【０００５】
ワイドパネルのサイドブラック表示において、表示エリアの両側に２つのサイドブラック表示エリアが形成され、それらの間に映像表示エリアが形成される。そして、サイドブラック表示エリアと通常の映像表示エリアの境界がＲ画素、Ｇ画素、Ｂ画素のいずれかに設けられることになる。しかしながら、その境界の位置によっては、サイドブラック表示エリアのエッジに凹凸が目立ち、しかも緑色の点線が目立つという表示品位上の問題があった。
【０００６】
この問題について、図面を参照しながら説明する。図１３に示すように、パネル左側のサイドブラック表示エリアと映像表示エリアの境界のパネル状態を拡大して見ると、デルタ配列により、偶数行の画素群ＢＲＧＢＲＧ・・・と奇数行の画素群ＢＲＧＢＲＧ・・・とは互いに１．５画素ピッチだけ行方向にずらされている。サイドブラック表示エリアのすべての画素は消灯されることで、このエリアで黒表示が行われる。したがって、サイドブラック表示エリアのエッジにはデルタ配列の画素のずれによって必然的に凹凸ができる。
【０００７】
すなわち、図１３の矢印で示した行（例えば奇数行）については、境界において、ＢＲ画素が消灯（黒表示）しており、Ｇ画素が点灯している。一方、隣接する行（例えば、偶数行）については、Ｂの画素が消灯（黒表示）しており、ＲＧ画素が点灯している。これにより、サイドブラック表示エリアのエッジの凹部に映像表示エリアのＧ画素が配置され、点灯することになる。言い換えれば、Ｇ画素はサイドブラック表示エリアのエッジに対して出っ張る。
【０００８】
すると、ＢＲＧの３原色の中、人間の目の感度はＧ（緑色）に対して最も高いことから、この点灯しているＧ画素の緑色が目立ち、サイドブラック表示エリアのエッジの凹部が強調されることになる。そして、パネル全体として見ると、サイドブラック表示エリアのエッジに凹凸が目立つようになり、しかもそのエッジに沿って緑色の点線が目立つことになる。
【０００９】
これと同じ理由で、パネル右側についても、図１４の矢印で示した行について、サイドブラック表示エリアのエッジに凹凸が目立ち、しかもそのエッジに沿って緑色の点線が目立つことになる。
【課題を解決するための手段】
【００１０】
本発明は上述の課題に鑑みてなされたものであり、青色で点灯するＢ画素、赤色で点灯するＲ画素、緑色で点灯するＧ画素をこの順序で行方向に繰り返し配列して画素群を形成し、偶数行の画素群と奇数行の画素群とを互いにずらして配列してなる表示エリアと、前記表示エリアの両側に黒表示を行う２つのサイドブラック表示エリアを形成し、それらの間に通常の映像表示を行う映像表示エリアを形成するとともに、サイドブラック表示エリアのエッジの凹部に、映像表示エリアのＧ画素以外の画素が配置されるように前記サイドブラック表示エリアを設定する制御回路を備えることを特徴とするものである。
【発明の効果】
【００１１】
本発明によれば、表示エリアの両側を黒表示するサイドブラック表示の機能を備えた表示装置において、サイドブラック表示エリアのエッジが直線的に視認され、しかもエッジに沿って緑色の点線が目立たなくなることから、表示品位を向上することができる。
【発明を実施するための最良の形態】
【００１２】
次に、本発明の表示装置の実施の形態について図面を参照しながら説明する。本発明は、サイドブラック表示エリアのエッジの凹部に、映像表示エリアのＧ画素以外の画素が配置されるように、サイドブラック表示エリアを設定するものである。
【００１３】
まず、この本発明の基本思想について図１を参照して説明する。アスペクト比が１６：９に設定されたワイドパネルの表示エリアにおいて、表示エリアの両側に２つのサイドブラック表示エリアが形成され、それらの間に映像表示エリアが形成される。そして、パネル左側のサイドブラック表示エリアと映像表示エリアの境界のパネル状態を拡大して見ると、デルタ配列により、偶数行の画素群ＢＲＧＢＲＧ・・・と奇数行の画素群ＢＲＧＢＲＧ・・・とは互いに１．５画素ピッチだけ行方向にずらされている。
【００１４】
図１の矢印で示した行（例えば奇数行）については、境界において、ＲＧ画素が消灯（黒表示）しており、Ｂ画素が点灯している。一方、隣接する行（例えば、偶数行）については、ＢＲの画素が消灯（黒表示）しており、Ｇ画素が点灯している。すなわち、サイドブラック表示エリアのエッジの凹部に映像表示エリアのＧ画素ではなく、Ｂ画素が配置され、点灯することになる。言い換えれば、Ｂ画素がサイドブラック表示エリアのエッジに対して出っ張り、映像表示エリアのＧ画素はサイドブラック表示エリアのエッジに対してへこんでいる。サイドブラック表示エリアのエッジの凹部に映像表示エリアのＲ画素が配置されてもよい。
【００１５】
これにより、サイドブラック表示エリアのエッジの凹部が目立たなくなるので、サイドブラック表示エリアのエッジが直線的に視認され、しかもエッジに沿って緑色の点線が目立たなくなることから、表示品位を向上することができるのである。なお、図２に示したパネル左側のサイドブラック表示エリアについても同様である。この例では、サイドブラック表示エリアのエッジの凹部に映像表示エリアのＲ画素が配置されている。
【００１６】
次に、上述のようなサイドブラック表示エリアを設定するための具体的な表示装置の構成について説明する。図３は、そのような表示装置のブロック図であり、ＬＣＤパネル１０と、ＬＣＤパネル１０にＢ（青色）、Ｒ（赤色）、Ｇ（緑色）の各色に対応した映像信号、その他の制御信号を供給する制御回路から構成されている。
【００１７】
制御回路は、サイドブラック表示エリアを設定するサイドブラック設定信号ＳＢｉ（ｉ＝１〜４）を発生するサイドブラック設定信号発生回路２０と、このサイドブラック設定信号ＳＢｉに応じて（例えば、ＳＢｉ＝ハイレベルの時）、外部入力されるＢ、Ｒ、Ｇの各色に対応した映像信号Ｓ（Ｂ）、Ｓ（Ｒ）、Ｓ（Ｇ）を黒レベル（例えば、ロウレベル）に設定するサイドブラック制御回路３０と、サイドブラック制御回路３０からのＢ、Ｒ、Ｇに対応した各映像信号を順番にサンプリングし、かつ記憶（ホールド）する、サンプルホールド回路４０とを備える。サンプルホールド回路４０に記憶された映像信号ＳＨ（Ｂ）、ＳＨ（Ｒ）、ＳＨ（Ｇ）は、信号線を介してＬＣＤパネル１０の表示エリアに転送される。
【００１８】
サイドブラック設定信号発生回路２０は、基準クロック、好ましくは水平同期信号Hsyncを逓倍したクロックをカウントし、そのカウント結果に基づいて複数のサイドブラック設定信号ＳＢ１、ＳＢ２、ＳＢ３、ＳＢ４を発生するカウンタ２１と、マイクロコンピュータ等から転送される表示モード切り換え信号に応じて、ノーマルスキャン・逆スキャン、サイドブラック表示エリアの広狭などに応じて用意された複数のサイドブラック設定信号ＳＢ１、ＳＢ２、ＳＢ３、ＳＢ４、・・・から１つのサイドブラック設定信号ＳＢｉを選択するセレクタ２２とを備える。
【００１９】
また、サンプルホールド回路４０は、図４に示すように、第１のサンプルホールドクロックＳＨ１に応じて、映像信号Ｓ（Ｒ）の信号レベルをサンプリングし、かつ記憶する第１のレジスタＳ／Ｈ１と、第２のサンプルホールドクロックＳＨ２に応じて、映像信号Ｓ（Ｇ）の信号レベルをサンプリングし、かつ記憶する第２のレジスタＳ／Ｈ２と、第３のサンプルホールドクロックＳＨ３に応じて、映像信号Ｓ（Ｂ）の信号レベルをサンプリングし、かつ記憶する第３のレジスタＳ／Ｈ３を備え、さらに、これらの第１のレジスタＳ／Ｈ１、第２のレジスタＳ／Ｈ２、第３のレジスタＳ／Ｈ３に記憶された映像信号の信号レベルは、第４のサンプルホールドクロックＳＨ４に応じて、それぞれ、第４のレジスタＳ／Ｈ４_Ｒ、第５のレジスタＳ／Ｈ４_Ｇ、第６のレジスタＳ／Ｈ４_Ｂに記憶される。
【００２０】
すなわち、ＬＣＤパネル１０への映像信号の書き込みは、ＢＲＧの画素を１つの単位として一括して行われるため、それを可能とするために、ＢＲＧに対応した映像信号を時系列的にサンプリングし、３色の映像信号が揃ったところで、ＬＣＤパネル１０へ転送するように構成されている。
【００２１】
図５は、サンプルホールド回路４０の動作を説明するタイミング図である。第１のサンプルホールドクロックＳＨ１がハイレベルの時の赤色の映像信号Ｓ（Ｒ）の信号レベルＳＨ（Ｒ）＝Ｒｘが第１のレジスタＳ／Ｈ１に記憶され、第２のサンプルホールドクロックＳＨ２がハイレベルの時の緑色の映像信号Ｓ（Ｇ）の信号レベルＳＨ（Ｇ）＝Ｇｘが第２のレジスタＳ／Ｈ２に記憶され、第３のサンプルホールドクロックＳＨ３がハイレベルの時の青色の映像信号Ｓ（Ｂ）の信号レベルＳＨ（Ｂ）＝Ｂｘが第３のレジスタＳ／Ｈ３に記憶される。
【００２２】
ＬＣＤパネル１０の画素配列の順序は、ＢＲＧＢＲＧ・・・であるので、これに対応するように、映像信号の信号レベルが各レジスタに記憶されるように、第１〜第４のサンプルホールドクロックＳＨ１，ＳＨ２，ＳＨ３，ＳＨ４の波形タイミングが生成される。つまり、ＳＨ３，ＳＨ１，ＳＨ４の順序でハイレベルに立ち上がる。ＳＨ２は常にハイレベルであり、緑色の映像信号Ｓ（Ｇ）は、第２のレジスタＳ／Ｈ２をそのまま通過して、第５のレジスタＳ／Ｈ４_Ｇに記憶される。
【００２３】
こうして、第４のサンプルホールドクロックＳＨ４がハイレベルの時に、第４のレジスタＳ／Ｈ４_Ｒ、第５のレジスタＳ／Ｈ４_Ｇ、第６のレジスタＳ／Ｈ４_Ｂに記憶された信号レベルＳＨ（Ｂ）＝Ｂｘ、ＳＨ（Ｒ）＝Ｒｘ、ＳＨ（Ｇ）＝Ｇｘは、ＬＣＤパネル１０内に設けられた水平シフトレジスタＳＲＨxを通して、水平クロックＣＫＨのエッジのタイミングで表示エリアに出力される。
【００２４】
そして、次に第４のサンプルホールドクロックＳＨ４がハイレベルなった時に、第４のレジスタＳ／Ｈ４_Ｒ、第５のレジスタＳ／Ｈ４_Ｇ、第６のレジスタＳ／Ｈ４_Ｂに記憶された信号レベルＳＨ（Ｂ）＝Ｂｘ+1、ＳＨ（Ｒ）＝Ｒｘ+1、ＳＨ（Ｇ）＝Ｇｘ+1は、ＬＣＤパネル１０内に設けられた次段の水平シフトレジスタＳＲＨx+1を通して、次の水平クロックＣＫＨのエッジのタイミングで表示エリアに出力される。
【００２５】
図６はＬＣＤパネル１０のブロック構成図である。表示エリアには、ガラス基板上に、Ｂ画素、Ｒ画素、Ｇ画素がこの順で行方向に繰り返し配列されて画素群が形成される。
【００２６】
これらの画素は、デルタ配列により配列され、偶数行の画素群ＢＲＧＢＲＧ・・・と奇数行の画素群ＢＲＧＢＲＧ・・・とは互いに１．５画素ピッチだけ行方向にずらされている。
【００２７】
そして、Ｂ画素、Ｒ画素、Ｇ画素の各画素は、図７に示すように、ゲートライン１１に出力される垂直スキャン信号ＧＬｉによってオンオフが制御された画素選択用ＴＦＴ１２、ドレインライン１３から画素選択ＴＦＴ１２を通して画素電極１４に印加される映像信号ＳＨ（Ｂ）、ＳＨ（Ｒ）、ＳＨ（Ｇ）の信号レベルを一水平期間、保持する保持容量１５、画素電極１４と対向電極（共通電圧Ｖｃｏｍが印加されている）との間に液晶１６、それぞれの色に対応したカラーフィルター１７を備えている。表示エリアの末端部の行及び列にはダミー画素が配置されている。
【００２８】
そして、表示エリアの周辺には、ｎ個の水平シフトレジスタＳＲＨ１〜ＳＲＨｎを直列接続してなる水平スキャナー１８が設けられている。ノーマルスキャン時には、図８（ａ）に示すように、ＳＲＨ１，ＳＲＨ２，・・・ＳＲＨｎの順（つまり、表示エリアの左から右へ）に水平スタートパルスＳＴＨが水平クロックＣＫＨに同期して伝搬され、これが水平スキャン信号となる。水平シフトレジスタＳＲＨ１〜ＳＲＨｎは双方向にスキャン可能であり、逆スキャン時には、ＳＲＨｎ，ＳＲＨｎ−１，・・・ＳＲＨ１の順に（つまり、表示エリアの右から左へ）水平スタートパルスＳＴＨが水平クロックＣＫＨに同期して伝搬される。
【００２９】
また、表示エリアの周辺には、ｍ個の垂直シフトレジスタＳＲＶ１〜ＳＲＶｍを直列接続し、隣接する垂直シフトレジスタの出力をｍ個のＡＮＤ回路に入力してなる垂直スキャナー１９が設けられている。図８（ｂ）に示すように、ＳＲＶ１，ＳＲＶ２，・・・ＳＲＶｍの順に垂直スタートパルスＳＴＶが垂直クロックＣＫＶに同期して伝搬される。
【００３０】
そして、互いに隣接する水平シフトレジスタＳＲＶｉとＳＲＶｉ+1（ｉ＝１〜ｍ−１）の出力信号の積が垂直スキャン信号ＧＬｉ(ｉ=１〜ｍ−１)となる。ｉ番目の行について考えると、垂直スキャン信号ＧＬｉがハイレベルとなる一水平期間に、水平スキャン信号が時系列的にハイレベルとなり、これに同期して、サンプルホールド回路４０からの映像信号ＳＨ（Ｂ）、ＳＨ（Ｒ）、ＳＨ（Ｇ）がドレインライン１３を通して、対応するＢＲＧの画素に書き込まれ、保持される。
【００３１】
次に、上記構成の表示装置において、図１に示したようなサイドブラック表示エリアを得るための動作について図９を参照して、詳しく説明する。前述のように、ノーマルスキャン時には、ＢＲＧＢＲＧ・・・の順に映像信号がサンプルホールド回路４０にサンプルホールドされる。つまり、サンプルホールドクロックＳＨ３、ＳＨ１、ＳＨ２がこの順でハイレベルになり、映像信号Ｓ（Ｂ）、Ｓ（Ｒ）、Ｓ（Ｇ）の信号レベルが順次サンプルホールドされ、第４のサンプルホールドクロックＳＨ４がハイレベルになると、これらの信号レベルが記憶され、ＬＣＤパネル１０に転送される。
【００３２】
図９に示すように、ノーマルスキャンの開始からしばらくの間は、サイドブラック設定信号ＳＢ１はハイレベルであるから、映像信号Ｓ（Ｂ）、Ｓ（Ｒ）、Ｓ（Ｇ）の信号レベルは、サイドブラック制御回路３０によって黒レベル（例えば、ロウレベル）に設定され、ＬＣＤパネル１０にはサイドブラック表示が行われる。そして、図９のタイミング図では、サイドブラック設定信号ＳＢ１がハイレベルからロウレベルに切り替えられる直前に、第４のサンプルホールドクロックＳＨ４がハイレベルになっているので、サイドブラック表示エリアのエッジにおいて、図１の矢印で示した行のように、ＢＲＧの画素が消灯し、その後、サイドブラック設定信号ＳＢ１がロウレベルに切り替えられ、サイドブラック制御回路３０による黒レベル設定が解除されると、ＳＨ３、ＳＨ１、ＳＨ４がこれに続いてハイレベルになり、ＢＲＧの画素が点灯する。
【００３３】
すなわち、サイドブラック設定信号ＳＢ１と、サンプルホールドクロックＳＨ３、ＳＨ１、ＳＨ４とのタイミング関係を調整することにより、サイドブラック表示エリアのエッジの凹部で、Ｇ画素が点灯しないように設定することができる。これにより、直線性の良い境界を得ることができる。図９の例では、図１の矢印で示した行（例えば、奇数行）について説明したが、これと隣接する行（例えば、偶数行）については、サイドブラック設定信号発生回路２０のセレクタ２２によって、選択された異なるサイドブラック設定信号ＳＢ２が用いられる。
【００３４】
このように、ノーマルスキャン時にサイドブラック表示エリアのエッジが直線性良くなるようにタイミング調整されたとしても、逆スキャン時には図１１に示すように、その直線性が崩れてしまう。これは、画素配列が表示エリア上で左右対称ではないためである。そこで、逆スキャン時には、ノーマルスキャン時とは異なるタイミング調整が必要となる。逆スキャン時には、ＧＲＢＧＲＢ・・・の順に、サンプルホールド回路４０において、映像信号の信号レベルが各レジスタに記憶される。そのため、図１０に示すように、第２のサンプルホールドクロックＳＨ２と第３のホールドクロックＳＨ３が入れ替えられる。
【００３５】
そして、サイドブラック設定信号ＳＢ３がハイレベルからロウレベルに切り替えられる直前に、第２のサンプルホールドクロックＳＨ２はハイレベルになり、サイドブラック設定信号ＳＢ３がロウレベルに切り替えられた直後に、第４のサンプルホールドクロックＳＨ４がハイレベルになる。サイドブラック表示エリアのエッジの凹部において、Ｇ画素が消灯し、ＲＢの画素が点灯する。これにより、図１２に示すように、ノーマルスキャン時と同様に、逆スキャン時においても、直線性の良い境界を得ることができる。
【００３６】
なお、上記実施の形態では、ＬＣＤパネル１０を用いた表示装置について説明したが、本発明は、有機ＥＬパネルを用いた表示装置についても同様に適用することができ、同様の効果を奏するものである。
【図面の簡単な説明】
【００３７】
【図１】本発明の実施の形態による表示装置のサイドブラック表示を説明する図である。
【図２】本発明の実施の形態による表示装置のサイドブラック表示を説明する他の図である。
【図３】本発明の実施の形態による表示装置のブロック図である。
【図４】本発明の実施の形態による表示装置に用いられるサンプルホールド回路の回路図である。
【図５】サンプルホールド回路の動作を説明するタイミング図である。
【図６】ＬＣＤパネルのブロック構成図である。
【図７】ＬＣＤパネルの画素の等価回路図である。
【図８】ＬＣＤパネルの動作を説明するタイミング図である。
【図９】本発明の実施の形態による表示装置のサイドブラック表示（ノーマルスキャン時）を説明するタイミング図である。
【図１０】本発明の実施の形態による表示装置のサイドブラック表示（逆スキャン時）を説明するタイミング図である。
【図１１】本発明の実施の形態による表示装置のサイドブラック表示（ノーマルスキャン時及び逆スキャン時）を説明する図である。
【図１２】本発明の実施の形態による表示装置のサイドブラック表示（ノーマルスキャン時及び逆スキャン時）を説明する他の図である。
【図１３】従来の表示装置のサイドブラック表示を説明する図である。
【図１４】従来の表示装置のサイドブラック表示を説明する他の図である。
【符号の説明】
【００３８】
１０  ＬＣＤパネル      １１  ゲートライン        １２  画素選択用ＴＦＴ
１３  ドレインライン    １４  画素電極            １５  保持容量
１６  液晶              １７  カラーフィルター    １８  水平スキャナー
１９  垂直スキャナー    ２０  サイドブラック設定信号発生回路
２１  カウンタ          ２２  セレクタ
３０  サイドブラック制御回路        ４０  サンプルホールド回路
ＣＫＨ  水平クロック                ＣＫＶ  垂直クロック
ＧＬｉ  垂直スキャン信号            Ｈｓｙｎｃ  水平周期信号
Ｓ（Ｂ），Ｓ（Ｒ），Ｓ（Ｇ）  映像信号
ＳＢ１，ＳＢ２，ＳＢ３，ＳＢ４，ＳＢｉ  サイドブラック設定信号
ＳＨ１  第１のサンプルホールドクロック
ＳＨ２  第２のサンプルホールドクロック
ＳＨ３  第３のサンプルホールドクロック
ＳＨ４  第４のサンプルホールドクロック
ＳＨ（Ｂ），ＳＨ（Ｒ），ＳＨ（Ｇ）  映像信号
ＳＲＨ１〜ＳＲＨｎ  水平シフトレジスタ
ＳＲＶ１〜ＳＲＶｍ  垂直シフトレジスタ
ＳＴＨ  水平スタートパルス        ＳＴＶ  垂直スタートパルス
Ｓ／Ｈ１  第１のレジスタ          Ｓ／Ｈ２  第２のレジスタ
Ｓ／Ｈ３  第３のレジスタ          Ｓ／Ｈ４＿Ｒ  第４のレジスタ
Ｓ／Ｈ４＿Ｇ  第５のレジスタ      Ｓ／Ｈ４＿Ｂ  第６のレジスタ
【図１】
2007188006.tif 000003
【図２】
2007188006.tif 000004
【図３】
2007188006.tif 000005
【図４】
2007188006.tif 000006
【図５】
2007188006.tif 000007
【図６】
2007188006.tif 000008
【図７】
2007188006.tif 000009
【図８】
2007188006.tif 000010
【図９】
2007188006.tif 000011
【図１０】
2007188006.tif 000012
【図１１】
2007188006.tif 000013
【図１２】
2007188006.tif 000014
【図１３】
2007188006.tif 000015
【図１４】
2007188006.tif 000016